【手続補正書】
【提出日】平成22年10月1日(2010.10.1)
【手続補正１】
【補正対象書類名】特許請求の範囲
【補正対象項目名】全文
【補正方法】変更
【補正の内容】
【特許請求の範囲】
【請求項１】
ビデオフレームのシーケンスを処理してフレーム間の漸進的遷移を検出する方法であって、
前記シーケンス内の複数のフレームのうちのそれぞれに関して、該フレームと前記シーケンス内の他のフレームとの間の強度変化の方向の単調性の測度を計算することであって、それによって、前記複数のフレームのうちのそれぞれに関する各強度変化単調性測度値を含む強度変化単調性測度値の時間シーケンスを生成する、計算すること、及び
前記強度変化単調性測度値を処理することであって、ビデオフレーム間の漸進的遷移を表す、前記時間シーケンス内の単調性測度値を検出する、処理すること、
を含み、
前記複数のフレーム内の画素の強度値を比較することであって、該強度値間の差を計算する、比較すること、
前記計算された差の符号を求めること、及び
前記求められた符号を処理することであって、強度変化の方向の単調性の測度を生成する、処理すること、
によって、前記複数のフレームのうちのそれぞれを処理して、該フレームと前記シーケンス内の他のフレームとの間の前記強度変化の方向の単調性の測度を計算する、方法。
【請求項２】
前記複数のフレームのうちのそれぞれを含む、フレームの時間枠のフレーム間で画素の強度値を比較することによって、前記複数のフレームのうちのそれぞれを処理して、該フレームと前記シーケンス内の他のフレームとの間の強度変化の方向の単調性の測度を計算する、請求項１に記載の方法。
【請求項３】
複数の各色チャネルにおいて前記複数のフレーム内の画素の強度値を比較することによって、前記複数のフレームのうちのそれぞれを処理して、該フレームと前記シーケンス内の他のフレームとの間の強度変化の方向の単調性の測度を計算する、請求項１又は請求項２に記載の方法。
【請求項４】
各前記計算された差の符号は、該差と上側閾値及び下側閾値とを比較すること、並びに該差が該下側閾値を下回るか、該上側閾値を上回るか、又は該下側閾値と該上側閾値との間にあるかに従って前記符号を割り当てることによって求められる、請求項１に記載の方法。
【請求項５】
各フレームに関する前記強度変化の方向の単調性の測度を、各符号の計算された差の個数に従って生成する、請求項１又は請求項４に記載の方法。
【請求項６】
各フレームに関する前記強度変化の方向の単調性の測度を、各画素位置における、一致する符号の多い方の個数に従って生成する、請求項５に記載の方法。
【請求項７】
前記フレームを含む、フレームの時間枠の前記フレーム内の対応する画素位置における画素の強度値を比較して該強度値間の差を計算し、
各画素位置に関する一致する符号の多い方の個数が閾値よりも大きいか否かに従って、前記強度変化の方向の単調性の測度を生成し、前記閾値は前記時間枠内のフレームの個数に従う値を有する、請求項６に記載の方法。
【請求項８】
各フレームに関する前記強度変化の方向の単調性の測度を、さらに前記差の量に従って生成する、請求項１から請求項７までのいずれか一項に記載の方法。
【請求項９】
前記強度変化単調性測度値を処理して、前記時間シーケンス内の該強度変化単調性測度値の傾きを検出することによって、ビデオフレーム間の漸進的遷移を表す、前記時間シーケンス内の単調性測度値を検出する、請求項１から請求項８までのいずれか一項に記載の方法。
【請求項１０】
前記時間シーケンス内の隣接する単調性測度値間の差を求めることであって、単調性の差を生成する、求めること、
単一の単調性の差又は複数の連続する単調性の差を含む単調性の差のセットを特定することであって、該セット内の各単調性の差は、単調性の差の第１の閾値を上回る値を有する、特定すること、及び
前記セット内の前記単調性の差の値の和が単調性の差の第２の閾値を上回る否かを判断すること、
によって、前記時間シーケンス内の該強度変化単調性測度値の傾きを検出するために前記強度変化単調性測度値を処理する、請求項９に記載の方法。
【請求項１１】
前記時間シーケンス内の隣接する単調性測度値間の差を求めることであって、単調性の差を生成する、求めること、
単一の単調性の差又は複数の連続する単調性の差を含む単調性の差のセットを特定することであって、該セット内の各単調性の差は、単調性の差の第３の閾値を下回る値を有する、特定すること、及び
前記セット内の前記単調性の差の値の和が単調性の差の第４の閾値を下回る否かを判断すること、
によって、前記時間シーケンス内の該強度変化単調性測度値の傾きを検出するために前記強度変化単調性測度値を処理する、請求項９又は請求項１０に記載の方法。
【請求項１２】
前記方法は、単色フレームが、ビデオフレーム間の検出された漸進的遷移の付近におけるフレーム内に存在するか否かを判断することをさらに含む、請求項１から請求項１１までのいずれか一項に記載の方法。
【請求項１３】
ビデオフレームのシーケンスを処理してフレーム間の漸進的遷移を検出するように動作可能な装置であって、
前記シーケンス内の複数のフレームのうちのそれぞれに関して、該フレームと前記シーケンス内の他のフレームとの間の強度変化の方向の単調性の測度を計算して、前記複数のフレームのうちのそれぞれに関する各強度変化単調性測度値を含む強度変化単調性測度値の時間シーケンスを生成するように動作可能な監視測度計算器と、
前記強度変化単調性測度値を処理して、ビデオフレーム間の漸進的遷移を表す、前記時間シーケンス内の単調性測度値を検出するように動作可能な遷移検出器と、
を備え、
前記単調性測度計算器は、
前記複数のフレーム内で画素の強度値を比較することであって、該強度値間の差を計算する、比較すること、
前記計算された差の符号を求めること、及び
前記求められた符号を処理することであって、強度変化の方向の単調性の測度を生成する、処理すること、
によって、前記複数のフレームのうちのそれぞれを処理して、該フレームと前記シーケンス内の他のフレームとの間の前記強度変化の方向の単調性の測度を計算する、装置。
【請求項１４】
前記単調性測度計算器は、前記複数のフレームのうちのそれぞれを含む、フレームの時間枠のフレーム間で画素の強度値を比較することによって、前記複数のフレームのうちのそれぞれを処理して、該フレームと前記シーケンス内の他のフレームとの間の強度変化の方向の単調性の測度を計算するように動作可能である、請求項１３に記載の装置。
【請求項１５】
前記単調性測度計算器は、複数の各色チャネルにおいて前記フレーム内の画素の強度値を比較することによって、前記複数のフレームのうちのそれぞれを処理して、該フレームと前記シーケンス内の他のフレームとの間の強度変化の方向の単調性の測度を計算するように動作可能である、請求項１３又は請求項１４に記載の装置。
【請求項１６】
前記単調性測度計算器は、各前記計算された差の符号を、該差と上側閾値及び下側閾値とを比較すること、並びに該差が該下側閾値を下回るか、該上側閾値を上回るか、又は該下側閾値と該上側閾値との間にあるかに従って前記符号を割り当てることによって求めるように動作可能である、請求項１３に記載の装置。
【請求項１７】
前記単調性測度計算器は、各フレームに関する前記強度変化の方向の単調性の測度を、各符号の計算された差の個数に従って生成するように動作可能である、請求項１３又は請求項１６に記載の装置。
【請求項１８】
前記単調性測度計算器は、各フレームに関する前記強度変化の方向の単調性の測度を、各画素位置における、一致する符号の多い方の個数に従って生成するように動作可能である、請求項１７に記載の装置。
【請求項１９】
前記単調性測度計算器は、前記複数のフレームのうちのそれぞれに関して、該フレームを含む、フレームの時間枠の前記フレーム内の対応する画素位置における画素の強度値を比較して該強度値間の差を計算するように動作可能であり、
前記単調性測度計算器は、各画素位置に関する一致する符号の多い方の個数が閾値よりも大きいか否かに従って、前記強度変化の方向の単調性の測度を生成するように動作可能であり、前記閾値は前記時間枠内のフレームの個数に従う値を有する、請求項１８に記載の装置。
【請求項２０】
前記単調性測度計算器は、各フレームに関する前記強度変化の方向の単調性の測度を、さらに前記差の量に従って生成するように動作可能である、請求項１３から請求項１９までのいずれか一項に記載の装置。
【請求項２１】
前記遷移検出器は、前記強度変化単調性測度値を処理して、前記時間シーケンス内の該強度変化単調性測度値の傾きを検出するように動作可能な傾き検出器を含む、請求項１３から請求項２０までのいずれか一項に記載の装置。
【請求項２２】
前記傾き検出器は、
前記時間シーケンス内の隣接する単調性測度値間の差を求めることであって、単調性の差を生成する、求めること、
単一の単調性の差又は複数の連続する単調性の差を含む単調性の差のセットを特定することであって、該セット内の各単調性の差は、単調性の差の第１の閾値を上回る値を有する、特定すること、及び
前記セット内の前記単調性の差の値の和が単調性の差の第２の閾値を上回る否かを判断すること、
によって、前記時間シーケンス内の該強度変化単調性測度値の傾きを検出するために前記強度変化単調性測度値を処理するように動作可能である、請求項２１に記載の装置。
【請求項２３】
前記傾き検出器は、
前記時間シーケンス内の隣接する単調性測度値間の差を求めることであって、単調性の差を生成する、求めること、
単一の単調性の差又は複数の連続する単調性の差を含む単調性の差のセットを特定することであって、該セット内の各単調性の差は、単調性の差の第３の閾値を下回る値を有する、特定すること、及び
前記セット内の前記単調性の差の値の和が単調性の差の第４の閾値を下回る否かを判断すること、
によって、前記時間シーケンス内の該強度変化単調性測度値の傾きを検出するために前記強度変化単調性測度値を処理するように動作可能である、請求項２１又は請求項２２に記載の装置。
【請求項２４】
前記装置は、単色フレームが、ビデオフレーム間の検出された漸進的遷移の付近におけるフレーム内に存在するか否かを判断するように動作可能である単色フレーム検出器をさらに備える、請求項１３から請求項２３までのいずれか一項に記載の装置。
【請求項２５】
プログラム可能な処理装置を、請求項１から請求項１２までのうちの少なくとも一項に記載の方法を実行するように動作可能になるようにプログラムするためのコンピュータプログラム命令を記憶する記憶媒体。
【請求項２６】
プログラム可能な処理装置を、請求項１から請求項１２までのうちの少なくとも一項に記載の方法を実行するように動作可能になるようにプログラムするためのコンピュータプログラム命令を搬送する信号。